(57)【要約】【課題】ブレーカの電源容量を上げずに、接続された複数の機器の動作を制御することができる機器連動システム及び制御装置を提供する。【解決手段】浴室空間及び浴室空間に隣接する隣接空間の少なくともいずれかで使用される機器連動システムであって、浴室空間または隣接空間に設けられる第１機器と、第１機器を制御する第１制御部と、浴室空間または隣接空間に設けられる第２機器と、第２機器を制御する第２制御部と、第１機器及び第２機器の少なくともいずれかを動作させる操作部と、第１機器及び前記第２機器が接続されているか否かを判断する接続状況判断部と、接続状況判断部で得られた情報に基づいて、第１機器及び前記第２機器の動作の優先順位を判断する優先順位判断部と、を備え、第１制御部及び第２制御部は、優先順位に基づいて、第１機器及び第２機器の動作を制御することを特徴とする機器連動システム。【選択図】図１
2019176567.tif 000002
【特許請求の範囲】
【請求項１】
浴室空間及び前記浴室空間に隣接する隣接空間の少なくともいずれかで使用される機器連動システムであって、
前記浴室空間または前記隣接空間に設けられる第１機器と、
前記第１機器を制御する第１制御部と、
前記浴室空間または前記隣接空間に設けられる第２機器と、
前記第２機器を制御する第２制御部と、
前記第１機器及び前記第２機器の少なくともいずれかを動作させる操作部と、
前記第１機器及び前記第２機器が接続されているか否かを判断する接続状況判断部と、
前記接続状況判断部で得られた情報に基づいて、前記第１機器及び前記第２機器の動作の優先順位を判断する優先順位判断部と、
を備え、
前記第１制御部及び前記第２制御部は、前記優先順位に基づいて、前記第１機器及び前記第２機器の動作を制御することを特徴とする機器連動システム。
【請求項２】
前記接続状況判断部及び前記優先順位判断部は、前記第１制御部及び前記第２制御部の少なくともいずれかに設けられることを特徴とする請求項１記載の機器連動システム。
【請求項３】
前記操作部は、前記第１機器及び前記第２機器を動作させることが可能であり、
前記接続状況判断部及び前記優先順位判断部は、前記操作部に設けられることを特徴とする請求項１記載の機器連動システム。
【請求項４】
前記第１機器及び前記第２機器に電力を供給する共通電源部をさらに備え、
前記接続状況判断部及び前記優先順位判断部は、前記共通電源部に設けられることを特徴とする請求項１記載の機器連動システム。
【請求項５】
前記優先順位判断部は、前記第１機器及び前記第２機器の少なくともいずれかの動作状況に応じて、前記優先順位を変化させることを特徴とする請求項１〜４のいずれか１つに記載の機器連動システム。
【請求項６】
浴室空間及び前記浴室空間に隣接する隣接空間の少なくともいずれかで使用される機器連動システムに用いられる制御装置であって、
複数の機器が接続されているか否かを判断する接続状況判断部と、
前記接続状況判断部で得られた情報に基づいて、前記複数の機器の動作の優先順位を判断する優先順位判断部と、
を備えたことを特徴とする制御装置。
【発明の詳細な説明】
【技術分野】
【０００１】
本発明の態様は、一般的に、機器連動システム及び制御装置に関する。
【背景技術】
【０００２】
近年においては、浴室や洗面所に関連する機器の多機能化や多種化が進んでいる。例えば、浴室の空調機器として、換気機能、衣類乾燥機能、浴室暖房機能を有する浴室換気暖房乾燥機が開発されている。また、例えば、洗面所（脱衣所）に設けられる空調機器も開発されている。これらの空調機器によって浴室や洗面所を暖めることにより、ヒートショック（温度差によって血圧が大きく変動し心筋梗塞や脳梗塞が引き起こされること）を抑制できる。また、例えば、浴室には、洗浄機器が設けられることもある。この洗浄機器は、浴槽や浴室の床に自動的に洗剤や湯、水などを散布して、浴槽や床を掃除する。
【０００３】
特許文献１には、給湯器に対して追加接続できるオプション機器を備え、オプション機器を接続したときに、接続したオプション機器を特定することができる給湯システムが開示されている。
【先行技術文献】
【特許文献】
【０００４】
【特許文献１】特開２００１−４２１５号公報
【発明の概要】
【発明が解決しようとする課題】
【０００５】
上記のような機器を複数接続し、これらを同時に動作させると、消費電力が増大し、例えばブレーカの電源容量を超えてしまう恐れがある。消費電力の増大に対応する手段として、ブレーカの電源容量を上げることが考えられる。しかし、ブレーカの電源容量を上げると、コストが増大するという問題がある。
【０００６】
本発明は、かかる課題の認識に基づいてなされたものであり、ブレーカの電源容量を上げずに、接続された複数の機器の動作を制御することができる機器連動システム及び制御装置を提供することを目的とする。
【課題を解決するための手段】
【０００７】
第１の発明は、浴室空間及び前記浴室空間に隣接する隣接空間の少なくともいずれかで使用される機器連動システムであって、前記浴室空間または前記隣接空間に設けられる第１機器と、前記第１機器を制御する第１制御部と、前記浴室空間または前記隣接空間に設けられる第２機器と、前記第２機器を制御する第２制御部と、前記第１機器及び前記第２機器の少なくともいずれかを動作させる操作部と、前記第１機器及び前記第２機器が接続されているか否かを判断する接続状況判断部と、前記接続状況判断部で得られた情報に基づいて、前記第１機器及び前記第２機器の動作の優先順位を判断する優先順位判断部と、を備え、前記第１制御部及び前記第２制御部は、前記優先順位に基づいて、前記第１機器及び前記第２機器の動作を制御することを特徴とする機器連動システムである。
【０００８】
この機器連動システムによれば、接続状況判断部により接続されている機器を判断し、優先順位判断部により接続されている各機器の動作の優先順位を判断することで、各機器を制御する各制御部は、優先順位に基づいて、各機器を同時に動作させるか否かや同時に動作させる際の出力などを制御することができる。これにより、ブレーカの電源容量を上げずに、接続された複数の機器の動作を制御することができる。
【０００９】
第２の発明は、第１の発明において、前記接続状況判断部及び前記優先順位判断部は、前記第１制御部及び前記第２制御部の少なくともいずれかに設けられることを特徴とする機器連動システムである。
【００１０】
この機器連動システムによれば、接続状況判断部及び優先順位判断部を第１制御部及び第２制御部の少なくともいずれかに設けることで、第１機器及び第２機器の共通の操作部（統合リモコン）及び共通の電源部を設ける必要がない。また、機器のイレギュラーな組み合わせに対して対応することができる。
【００１１】
第３の発明は、第１の発明において、前記操作部は、前記第１機器及び前記第２機器を動作させることが可能であり、前記接続状況判断部及び前記優先順位判断部は、前記操作部に設けられることを特徴とする機器連動システムである。
【００１２】
この機器連動システムによれば、接続状況判断部及び優先順位判断部を第１機器及び第２機器の共通の操作部に設けることで、第１機器及び第２機器のＲＯＭ容量を減らすことができる。また、第１制御部及び第２制御部のサイズを小さくすることができる。これにより、第１機器及び第２機器の設計を簡易化することができる。また、第１機器及び第２機器のコストを低減することができる。
【００１３】
第４の発明は、第１の発明において、前記第１機器及び前記第２機器に電力を供給する共通電源部をさらに備え、前記接続状況判断部及び前記優先順位判断部は、前記共通電源部に設けられることを特徴とする機器連動システムである。
【００１４】
この機器連動システムによれば、接続状況判断部及び優先順位判断部を第１機器及び第２機器の共通の電源部に設けることで、第１機器及び第２機器のＲＯＭ容量を減らすことができる。また、第１制御部及び第２制御部のサイズを小さくすることができる。これにより、第１機器及び第２機器の設計を簡易化することができる。また、第１機器及び第２機器のコストを低減することができる。また、機器のイレギュラーな組み合わせに対して対応することができる。また、共通電源部を設けることで、機器連動システムの導入コストを下げることができる。
【００１５】
第５の発明は、第１〜第４のいずれか１つの発明において、前記優先順位判断部は、前記第１機器及び前記第２機器の少なくともいずれかの動作状況に応じて、前記優先順位を変化させることを特徴とする機器連動システムである。
【００１６】
この機器連動システムによれば、例えば、動作する機器の組み合わせや動作する機器の動作モードに応じて、優先順位を変化させる。これにより、より効率よく各機器を動作させることができる。
【００１７】
第６の発明は、浴室空間及び前記浴室空間に隣接する隣接空間の少なくともいずれかで使用される機器連動システムに用いられる制御装置であって、複数の機器が接続されているか否かを判断する接続状況判断部と、前記接続状況判断部で得られた情報に基づいて、前記複数の機器の動作の優先順位を判断する優先順位判断部と、を備えたことを特徴とする制御装置。
【００１８】
この制御装置によれば、接続状況判断部により接続されている機器を判断し、優先順位判断部により接続されている各機器の動作の優先順位を判断することで、各機器を制御する各制御部は、優先順位に基づいて、各機器を同時に動作させるか否かや同時に動作させる際の出力などを制御することができる。これにより、ブレーカの電源容量を上げずに、接続された複数の機器の動作を制御することができる。
【発明の効果】
【００１９】
本発明の態様によれば、ブレーカの電源容量を上げずに、接続された複数の機器の動作を制御することができる機器連動システムが提供される。
【図面の簡単な説明】
【００２０】
【図１】実施形態に係る機器連動システムを例示するブロック図である。
【図２】実施形態に係る別の機器連動システムを例示するブロック図である。
【図３】実施形態に係る別の機器連動システムを例示するブロック図である。
【図４】実施形態に係る機器連動システムの動作を例示するフローチャートである。
【図５】図４に示すフローチャートの優先順位判断における優先順位を例示する表である。
【図６】実施形態に係る機器連動システムの別の動作を例示するフローチャートである。
【図７】図７（ａ）及び図７（ｂ）は、図６に示すフローチャートの優先順位判断における優先順位を例示する表である。
【図８】実施形態に係る機器連動システムの別の動作を例示するフローチャートである。
【図９】図９（ａ）及び図９（ｂ）は、図８に示すフローチャートの優先順位判断における優先順位を例示する表である。
【発明を実施するための形態】
【００２１】
以下、実施形態について図面を参照しつつ説明する。なお、各図面中、同様の構成要素には同一の符号を付して詳細な説明は適宜省略する。  
図１は、実施形態に係る機器連動システムを例示するブロック図である。  
図１に示すように、実施形態に係る機器連動システム１０は、第１〜第３機器２１〜２３と、第１〜第３制御部３１〜３３と、操作部４０と、共通電源部５０と、を有する。
【００２２】
機器連動システム１０は、例えば、浴室空間１００及び浴室空間１００に隣接する隣接空間１１０の少なくともいずれかに設けられる。浴室空間１００は、建築躯体に設けられ、内部に浴室を有する。浴室は、例えば、浴槽、洗い場床、壁パネル、及び天井パネルなどをユニット化した、いわゆるユニットバスやシステムバスである。隣接空間１１０は、浴室空間１００に隣接する建築躯体に設けられる。隣接空間１１０は、例えば、脱衣所、洗面所、またはトイレである。機器連動システム１０は、浴室空間１００及び隣接空間１１０の少なくともいずれかで使用される。
【００２３】
第１〜第３機器２１〜２３は、それぞれ、浴室空間１００または隣接空間１１０に設けられる。第１〜第３機器２１〜２３は、例えば、浴室用の空調機器、浴室用の洗浄機器、洗面所用の空調機器、給湯器、浴槽の排水栓、浴室の照明、マッサージ機器、及び吐水装置などを含む。この例では、第１機器２１は、浴室用の空調機器である。第２機器２２は、浴室用の洗浄機器である。第３機器２３は、洗面所用の空調機器である。なお、機器連動システム１０が備える機器の数は３つに限定されず、２つであってもよいし、４つ以上であってもよい。機器連動システム１０は２つ以上の機器を連動させるシステムである。
【００２４】
浴室用の空調機器は、例えば、浴室の天井に設けられる。浴室用の空調機器は、例えば、温風を吹き出して浴室内を暖める暖房機能、風（例えば温風）を吹き出して浴室内に吊るされた衣類等を乾燥させる乾燥機能、及び浴室内を換気する換気機能の少なくともいずれかを有する。浴室用の空調機器は、例えば浴室換気暖房乾燥機である。浴室用の空調機器は、換気扇でもよい。
【００２５】
浴室用の洗浄機器は、例えば、浴槽掃除機器と浴室用の床掃除機器とを含む。浴槽掃除機器は、例えば、浴室の内部に設けられた浴槽内に設けられる。浴槽掃除機器は、例えば、浴槽の内壁に洗剤や水（湯）を散布する機器である。浴室用の床掃除機器は、例えば、浴室の床（洗い場）に水や除菌水（菌を減らす効果のある機能水）等を散布する機器である。
【００２６】
洗面所用の空調機器は、例えば、洗面所の壁面の上部に設けられる。洗面所用の空調機器は、例えば、温風を吹き出して洗面所内を暖める暖房機能を有する。洗面所用の空調機器は、換気扇でもよい。
【００２７】
給湯器は、例えば浴室の外部に設けられ、浴槽や浴室内の水栓装置に湯を供給する。排水栓は、浴槽に設けられる。排水栓が開くことで、浴槽内の水や湯が排出される。照明は、浴室の例えば天井等に設けられる照明である。マッサージ機器は、例えば浴槽に設けられ、浴槽内の水（湯）に泡を発生させる気泡発生装置である。または、マッサージ機器は、浴槽内に水流を発生させる水流発生装置である。吐水装置は、例えば、浴槽内の使用者の肩に向けて湯を吐出する肩湯である。
【００２８】
第１〜第３制御部３１〜３３は、それぞれ、第１〜第３機器２１〜２３の動作を制御するためのを制御部である。第１制御部３１及び第２制御部３２は、例えば、浴室空間１００の建築躯体と浴室との間（例えば、浴室の天井裏）に設けられる。第３制御部３３は、例えば、洗面所の壁面の上部に設けられた第３機器２３（洗面所用の空調機器）の筐体の内部に設けられる。第１〜第３制御部３１〜３３は、それぞれ、例えば、ＣＰＵ３１ａ〜３３ａ及び記憶装置３１ｂ〜３３ｂを有する。
【００２９】
操作部４０は、第１〜第３機器２１〜２３を動作させる操作部である。操作部４０は、例えば、洗面所の壁面に設けられる。操作部４０は、第１〜第３制御部３１〜３３を介して、第１〜第３機器２１〜２３と接続されている。使用者は、操作部４０を操作することにより、第１〜第３機器２１〜２３の動作を操作することができる。この例では、操作部４０は、第１〜第３機器２１〜２３のそれぞれを動作させることができる共通の操作部（統合リモコン）である。操作部４０は、第１〜第３機器２１〜２３のそれぞれを動作させる複数の操作部（リモコン）を有していてもよい。操作部４０は、例えば、ＣＰＵ４０ａ及び記憶装置４０ｂを有する。操作部４０は、例えば、第１〜第３機器２１〜２３の接続状況及び動作状況などを表示する表示部を有していてもよい。
【００３０】
共通電源部５０は、第１〜第３機器２１〜２３及び第１〜第３制御部３１〜３３に電力を供給する。共通電源部５０は、例えば、第１〜第３制御部３１〜３３とブレーカ５５との間に設けられる。換言すれば、共通電源部５０は、第１〜第３制御部３１〜３３を介して、第１〜第３機器２１〜２３と接続されている。なお、共通電源部５０は、必要に応じて設けられ、省略可能である。共通電源部５０が省略される場合、第１〜第３機器２１〜２３は、例えば、ブレーカ５５から直接電力を供給されてもよい。このような、共通電源部５０を設けることで、機器連動システム１０の導入コストを下げることができる。
【００３１】
機器連動システム１０の各部は、電源線６１、グランド線６２、制御線６３、及び通信線６４の少なくともいずれかにより接続されている。この例では、電源線６１は、共通電源部５０と、第１〜第３制御部３１〜３３と、をそれぞれ接続している。電源線６１は、第１〜第３制御部３１〜３３と、第１〜第３機器２１〜２３と、をそれぞれ接続している。グランド線６２は、共通電源部５０と、第１〜第３制御部３１〜３３及び操作部４０と、をそれぞれ接続している。グランド線６２は、第１〜第３制御部３１〜３３と、第１〜第３機器２１〜２３と、をそれぞれ接続している。制御線６３は、操作部４０と、第１〜第３制御部３１〜３３と、をそれぞれ接続している。制御線６３は、第１〜第３制御部３１〜３３と、第１〜第３機器２１〜２３と、をそれぞれ接続している。通信線６４は、操作部４０と、第１〜第３制御部３１〜３３と、をそれぞれ接続している。通信線６４は、第１〜第３制御部３１〜３３と、第１〜第３機器２１〜２３と、をそれぞれ接続している。
【００３２】
使用者が操作部４０を操作すると、操作部４０から、第１〜第３制御部３１〜３３に対して、制御信号が送信される。第１〜第３制御部３１〜３３のそれぞれは、制御信号に応じて、第１〜第３機器２１〜２３の動作を制御する。また、第１〜第３制御部３１〜３３のそれぞれは、例えば、操作部４０に対して、第１〜第３機器２１〜２３のそれぞれの動作状況についての信号を送信する。操作部４０は、例えば、この信号に応じて、操作部４０の表示部に各機器の動作状況を表示する。
【００３３】
実施形態において、機器連動システム１０は、接続状況判断部７０及び優先順位判断部８０を有する。接続状況判断部７０及び優先順位判断部８０は、機器連動システム１０のどこに設けられていてもよい。接続状況判断部７０及び優先順位判断部８０は、例えば、第１〜第３制御部３１〜３３の少なくともいずれか、共通の操作部４０、及び共通電源部５０の少なくともいずれかに設けられる。なお、接続状況判断部７０及び優先順位判断部８０は、同じ箇所に設けられもよいし、それぞれ別の箇所に設けられてもよい。また、接続状況判断部７０及び優先順位判断部８０を有する制御装置を別途設けてもよい。
【００３４】
接続状況判断部７０は、第１〜第３機器２１〜２３のそれぞれが接続状況判断部７０に接続されているか否かを判断する。これにより、接続状況判断部７０にどの機器が接続されているかについての情報が得られる。また、これにより、接続状況判断部７０に複数の機器が接続されているか否かについての情報が得られる。なお、本願明細書において、「接続されている」状態は、接続状況判断部７０と各機器とが物理的に接続（有線接続）されている状態に限定されず、例えば、接続状況判断部７０と各機器とが無線通信により通信可能な状態も含む。各機器は、接続状況判断部７０に接続されている状態において、例えば、共通電源部５０から電力を供給されており、動作可能な状態である。
【００３５】
優先順位判断部８０は、接続状況判断部７０で得られた情報に基づいて、各機器の動作の優先順位を判断する。例えば、接続状況判断部７０において、第１〜第３機器２１〜２３が接続されているという情報が得られた場合、優先順位判断部８０は、これに基づいて、第１〜第３機器２１〜２３の動作の優先順位を判断する。
【００３６】
第１〜第３制御部３１〜３３は、それぞれ、優先順位判断部８０で判断された優先順位に基づいて、第１〜第３機器２１〜２３の動作を制御する。例えば、優先順位判断部８０において、第１機器２１の動作の優先順位が、第２機器２２の動作の優先順位よりも高いと判断された場合、第１制御部３１及び第２制御部３２は、第２機器２２の動作よりも、第１機器２１の動作を優先するように、第１機器２１及び第２機器２２を制御する。具体的には、第２制御部３２は、例えば、第２機器２２の動作を制限する。より具体的には、第２制御部３２は、例えば、第２機器２２の出力（消費電力）を低下させる、あるいは、第２機器２２（または第３機器２３）の動作を停止させる。
【００３７】
このような接続状況判断部７０及び優先順位判断部８０を設けることで、接続状況判断部７０により接続されている機器を判断し、優先順位判断部８０により接続されている各機器の動作の優先順位を判断することができる。そして、各制御部は、優先順位に基づいて、各機器を同時に動作させるか否かや同時に動作させる際の出力を制御することができる。これにより、ブレーカ５５の電源容量を上げずに、接続された複数の機器の動作を制御することができる。
【００３８】
優先順位判断部８０は、各機器の動作状況に応じて、優先順位を変化させてもよい。  
優先順位判断部８０は、例えば、動作する機器の組み合わせに応じて、優先順位を変化させてもよい。具体的には、例えば、第１機器２１（例えば、浴室用の空調機器）及び第２機器２２（例えば、浴室用の洗浄機器）が動作する場合の優先順位と、第１機器２１（例えば、浴室用の空調機器）及び第３機器２３（洗面所用の空調機器）が動作する場合の優先順位と、は異なっていてもよい。これにより、例えば、消費電力の大きい２つの機器を動作させようとした際に、一方の機器の動作の優先順位を下げて動作を制限し、消費電力の小さい機器は動作させることができる。つまり、より効率よく各機器を動作させることができる。
【００３９】
また、優先順位判断部８０は、例えば、動作する機器の動作モードに応じて、優先順位を変化させてもよい。具体的には、例えば、第１機器２１が第１モード（例えば、暖房モード）または第２モード（例えば、涼風モード）を動作させる場合の優先順位と、第１機器２１が第３モード（例えば、乾燥モード）または第４モード（例えば、換気モード）を動作させる場合の優先順位と、は異なっていてもよい。これにより、例えば、第１機器２１の消費電力の大きいモードを動作させようとした際に、他の消費電力の大きい機器の動作の優先順位を下げて動作を制限し、消費電力の小さい機器は動作させることができる。つまり、より効率よく各機器を動作させることができる。
【００４０】
また、優先順位判断部８０は、例えば、操作部４０における入力操作に応じて、優先順位を変化させてもよい。具体的には、例えば、操作部４０において入力操作があった場合、入力操作があった機器の動作を最優先してもよい。これにより、例えば、効率よく各機器を動作させるとともに、使用者が入力操作した動作をすぐに行うことができる。つまり、使用者がより快適に機器連動システム１０を使用できる。
【００４１】
図１に示すように、この例では、接続状況判断部７０及び優先順位判断部８０は、第１〜第３制御部３１〜３３のそれぞれに設けられている。より具体的には、接続状況判断部７０及び優先順位判断部８０は、ＣＰＵ３１ａ〜３３ａのそれぞれに設けられている。接続状況判断部７０及び優先順位判断部８０は、例えば、第１〜第３制御部３１〜３３のうちいずれか１つまたは２つに設けられていてもよい。この例では、接続状況判断部７０及び優先順位判断部８０が設けられたＣＰＵ３１ａ〜３３ａを、それぞれ制御装置とみなすことができる。
【００４２】
例えば、操作部４０に入力操作があると、操作部４０から、第１〜第３制御部３１〜３３に対して、制御信号が送信される。このとき、例えば、第１〜第３制御部３１〜３３には、それぞれ共通電源部５０から電力が供給されている。なお、入力操作があった機器の制御部のみに共通電源部５０から電力が供給されてもよい。そして、第１〜第３制御部３１〜３３に設けられた接続状況判断部７０の少なくともいずれかにより、第１〜第３機器２１〜２３の接続状況が判断される。そして、第１〜第３制御部３１〜３３に設けられた優先順位判断部８０の少なくともいずれかにより、接続状況判断部７０で得られた情報に基づいて、第１〜第３機器２１〜２３の動作の優先順位が判断される。そして、第１〜第３制御部３１〜３３により、優先順位に基づいて、第１〜第３機器２１〜２３の動作が制御される。なお、優先順位の判断に用いられる第１〜第３機器２１〜２３の接続状況などの情報は、例えば、第１〜第３制御部３１〜３３に設けられた記憶装置３１ｂ〜３３ｂの少なくともいずれかに記憶される。
【００４３】
このように、接続状況判断部７０及び優先順位判断部８０を、第１〜第３制御部３１〜３３の少なくともいずれかに設けることで、第１〜第３機器２１〜２３の共通の操作部４０（統合リモコン）及び共通電源部５０を設ける必要がない。また、通常、使用者は必要とする機器を選択し、必要な機器だけを設置する。そのため、各使用者ごとに浴室空間１００または隣接空間１１０に設ける機器は異なる。これに対し、実施形態においては、各機器に接続状況判断部７０及び優先順位判断部８０を設けることで、機器をイレギュラーな組み合わせで設ける場合にも、ブレーカ５５の電源容量を上げずに、接続された複数の機器の動作を制御することができる。
【００４４】
図２は、実施形態に係る別の機器連動システムを例示するブロック図である。  
図２に示すように、この例では、接続状況判断部７０及び優先順位判断部８０は、第１〜第３機器２１〜２３の共通の操作部４０に設けられている。より具体的には、接続状況判断部７０及び優先順位判断部８０は、ＣＰＵ４０ａに設けられている。この例では、接続状況判断部７０及び優先順位判断部８０が設けられたＣＰＵ４０ａを、制御装置とみなすことができる。
【００４５】
例えば、操作部４０に入力操作があると、操作部４０に設けられた接続状況判断部７０により、第１〜第３機器２１〜２３の接続状況が判断される。そして、操作部４０に設けられた優先順位判断部８０により、接続状況判断部７０で得られた情報に基づいて、第１〜第３機器２１〜２３の動作の優先順位が判断される。そして、優先順位判断部８０から、第１〜第３制御部３１〜３３に対して、優先順位についての信号が送信される。そして、第１〜第３制御部３１〜３３により、優先順位に基づいて、第１〜第３機器２１〜２３の動作が制御される。なお、優先順位の判断に用いられる第１〜第３機器２１〜２３の接続状況などの情報は、例えば、操作部４０に設けられた記憶装置４０ｂに記憶される。
【００４６】
このように、接続状況判断部７０及び優先順位判断部８０を、共通の操作部４０に設けることで、第１〜第３機器２１〜２３のＲＯＭ容量を減らすことができる。また、第１〜第３制御部３１〜３３のサイズを小さくすることができる。これにより、第１〜第３機器２１〜２３の設計を簡易化することができる。また、第１〜第３機器２１〜２３のコストを低減することができる。
【００４７】
図３は、実施形態に係る別の機器連動システムを例示するブロック図である。  
図３に示すように、この例では、接続状況判断部７０及び優先順位判断部８０は、共通電源部５０に設けられている。より具体的には、接続状況判断部７０及び優先順位判断部８０は、ＣＰＵ５０ａに設けられている。この例では、接続状況判断部７０及び優先順位判断部８０が設けられたＣＰＵ５０ａを、制御装置とみなすことができる。この例では、制御線６３及び通信線６４は、さらに、共通電源部５０と、第１〜第３制御部３１〜３３及び操作部４０と、をそれぞれ接続している。
【００４８】
例えば、操作部４０に入力操作があると、操作部４０から、共通電源部５０に対して、信号が送信される。共通電源部５０に設けられた接続状況判断部７０により、第１〜第３機器２１〜２３の接続状況が判断される。そして、共通電源部５０に設けられた優先順位判断部８０により、接続状況判断部７０で得られた情報に基づいて、第１〜第３機器２１〜２３の動作の優先順位が判断される。そして、優先順位判断部８０から、第１〜第３制御部３１〜３３に対して、優先順位についての信号が送信される。そして、第１〜第３制御部３１〜３３により、優先順位に基づいて、第１〜第３機器２１〜２３の動作が制御される。なお、優先順位の判断に用いられる第１〜第３機器２１〜２３の接続状況などの情報は、例えば、共通電源部５０に設けられた記憶装置５０ｂに記憶される。
【００４９】
このように、接続状況判断部７０及び優先順位判断部８０を、共通電源部５０に設けることで、第１〜第３機器２１〜２３のＲＯＭ容量を減らすことができる。また、第１〜第３制御部３１〜３３のサイズを小さくすることができる。これにより、第１〜第３機器２１〜２３の設計を簡易化することができる。また、第１〜第３機器２１〜２３のコストを低減することができる。また、機器のイレギュラーな組み合わせに対して対応することができる。
【００５０】
図４は、実施形態に係る機器連動システムの動作を例示するフローチャートである。  
図５は、図４に示すフローチャートの優先順位判断における優先順位を例示する表である。  
図４に示すように、使用者が操作部４０を操作すると（ステップＳ１０１：Ｙｅｓ）、接続状況判断部７０は、接続状況判断部７０に複数の機器が接続されているか否かを判断する（ステップＳ１０２）。接続状況判断部７０に複数の機器が接続されている場合（ステップＳ１０２：Ｙｅｓ）、優先順位判断部８０は、接続されている機器の動作の優先順位を判断する（優先順位判断１、ステップＳ１０３）。例えば、接続状況判断部７０に第１〜第３機器２１〜２３が接続されている場合、優先順位判断部８０は、第１〜第３機器２１〜２３の優先順位を、図５に示す優先順位判断１の表のように判断する。
【００５１】
次に、優先順位判断部８０は、動作する機器の総消費電力がブレーカ５５の電源容量を超えるか否かを判断する（ステップＳ１０４）。動作する機器の総消費電力がブレーカ５５の電源容量を超える場合（ステップＳ１０４：Ｙｅｓ）、各制御部は、図５に示す優先順位判断１に基づき、機器の動作を制限し（ステップＳ１０５）、各機器の動作を制御する（ステップＳ１０６）。例えば、第１機器２１の動作と第２機器２２（または第３機器２３）の動作の総消費電力がブレーカ５５の電源容量を超える場合、第２制御部３２（または第３制御部３３）は、優先順位判断１に基づき、第２機器２２（または第３機器２３）の動作を制限する。より具体的には、第１制御部３１及び第２制御部３２（または第３制御部３３）は、例えば、第２機器２２（または第３機器２３）の出力（消費電力）を低下、あるいは、第２機器２２（または第３機器２３）の動作を停止させた状態で、第１機器２１を動作させる。
【００５２】
一方、動作する機器の総消費電力がブレーカ５５の電源容量を超えない場合（ステップＳ１０４：Ｎｏ）、各制御部は、ステップＳ１０５を行わずに、各機器の動作を制御する（ステップＳ１０６）。より具体的には、第１制御部３１及び第２制御部３２（または第３制御部３３）は、例えば、第２機器２２（または第３機器２３）の動作を制限していない状態で、第１機器２１を動作させる。
【００５３】
また、接続状況判断部７０に複数の機器が接続されていない場合（ステップＳ１０２：Ｎｏ）、各制御部は、ステップＳ１０３〜Ｓ１０５を行わずに、接続されている機器の動作を制御する（ステップＳ１０６）。
【００５４】
以上説明したように、図４に示すフローチャートでは、複数の機器を同時に動作させる際には、各機器の動作の優先順位を決め、動作する機器の総消費電力がブレーカ５５の電源容量を超える場合には、優先順位の低い機器の動作を制限する。これにより、複数機器の同時運転による電源容量の増大を抑制することができる。
【００５５】
図６は、実施形態に係る機器連動システムの別の動作を例示するフローチャートである。  
図７（ａ）及び図７（ｂ）は、図６に示すフローチャートの優先順位判断における優先順位を例示する表である。  
図６に示すように、使用者が操作部４０を操作すると（ステップＳ２０１：Ｙｅｓ）、接続状況判断部７０は、接続状況判断部７０に複数の機器が接続されているか否かを判断する（ステップＳ２０２）。接続状況判断部７０に複数の機器が接続されている場合（ステップＳ２０２：Ｙｅｓ）、優先順位判断部８０は、接続されている機器の動作の優先順位を判断する（優先順位判断１、ステップＳ２０３）。例えば、接続状況判断部７０に第１〜第３機器２１〜２３が接続されている場合、優先順位判断部８０は、第１〜第３機器２１〜２３の優先順位を、図７（ａ）に示す優先順位判断１の表のように判断する。
【００５６】
次に、優先順位判断部８０は、ステップＳ２０１における入力操作が第１機器２１を動作させるための入力操作であるか否かを判断する（ステップＳ２０４）。入力操作が第１機器２１を動作させるための入力操作である場合（ステップＳ２０４：Ｙｅｓ）、優先順位判断部８０は、第２機器２２が動作しているか否かを判断する（ステップＳ２０５）。
【００５７】
第２機器２２が動作している場合（ステップＳ２０５：Ｙｅｓ）、優先順位判断部８０は、接続されている機器の動作の優先順位を判断する（優先順位判断２、ステップＳ２０６）。例えば、接続状況判断部７０に第１〜第３機器２１〜２３が接続されている場合、優先順位判断部８０は、第１〜第３機器２１〜２３の優先順位を、図７（ｂ）に示す優先順位判断２の表のように判断する。
【００５８】
各制御部は、図７（ｂ）に示す優先順位判断２に基づき、機器の動作を制限する（ステップＳ２０７）。例えば、この例では、第２制御部３２は、優先順位判断２に基づき、第２機器２２の動作を禁止する。より具体的には、例えば、第２制御部３２は、第２機器２２の動作を停止させる。
【００５９】
次に、優先順位判断部８０は、動作する機器の総消費電力がブレーカ５５の電源容量を超えるか否かを判断する（ステップＳ２０８）。動作する機器の総消費電力がブレーカ５５の電源容量を超える場合（ステップＳ２０８：Ｙｅｓ）、各制御部は、図７（ｂ）に示す優先順位判断２に基づき、機器の動作を制限し（ステップＳ２０９）、各機器の動作を制御する（ステップＳ２１０）。例えば、第１機器２１の動作と第３機器２３の動作の総消費電力がブレーカ５５の電源容量を超える場合、第３制御部３３は、優先順位判断２に基づき、第３機器２３の動作を制限する。より具体的には、第１〜第３制御部３１〜３３は、例えば、第２機器２２の動作を禁止し、第３機器２３の出力（消費電力）を低下、あるいは、第３機器２３の動作を停止させた状態で、第１機器２１を動作させる。
【００６０】
一方、動作する機器の総消費電力がブレーカ５５の電源容量を超えない場合（ステップＳ２０８：Ｎｏ）、各制御部は、ステップＳ２０９を行わずに、各機器の動作を制御する（ステップＳ２１０）。より具体的には、第１〜第３制御部３１〜３３は、例えば、第２機器２２の動作を禁止した状態で、第１機器２１（または第１機器２１及び第３機器２３）を動作させる。
【００６１】
また、ステップＳ２０１における入力操作が第１機器２１を動作させるための入力操作であり（ステップＳ２０４：Ｙｅｓ）、第２機器２２が動作してない場合（ステップＳ２０５：Ｎｏ）、優先順位判断部８０は、ステップＳ２０６、Ｓ２０７を行わずに、動作する機器の総消費電力がブレーカ５５の電源容量を超えるか否かを判断する（ステップＳ２０８）。動作する機器の総消費電力がブレーカ５５の電源容量を超える場合（ステップＳ２０８：Ｙｅｓ）、各制御部は、図７（ａ）に示す優先順位判断１に基づき、機器の動作を制限し（ステップＳ２０９）、各機器の動作を制御する（ステップＳ２１０）。例えば、第１機器２１の動作と第３機器２３の動作の総消費電力がブレーカ５５の電源容量を超える場合、第３制御部３３は、優先順位判断１に基づき、第３機器２３の動作を制限する。より具体的には、第１〜第３制御部３１〜３３は、例えば、第２機器２２が動作しておらず、第３機器２３の出力（消費電力）を低下、あるいは、第３機器２３の動作を停止させた状態で、第１機器２１を動作させる。
【００６２】
一方、動作する機器の総消費電力がブレーカ５５の電源容量を超えない場合（ステップＳ２０８：Ｎｏ）、各制御部は、ステップＳ２０９を行わずに、各機器の動作を制御する（ステップＳ２１０）。より具体的には、第１〜第３制御部３１〜３３は、例えば、第２機器２２が動作していない状態で、第１機器２１（または第１機器２１及び第３機器２３）を動作させる。
【００６３】
また、ステップＳ２０１における入力操作が第１機器２１を動作させるための入力操作ではない場合（ステップＳ２０４：Ｎｏ）、優先順位判断部８０は、ステップＳ２０１における入力操作が第２機器２２を動作させるための入力操作であるか否かを判断する（ステップＳ２１１）。入力操作が第２機器２２を動作させるための入力操作である場合（ステップＳ２１１：Ｙｅｓ）、優先順位判断部８０は、第１機器２１が動作しているか否かを判断する（ステップＳ２１２）。
【００６４】
第１機器２１が動作している場合（ステップＳ２１２：Ｙｅｓ）、優先順位判断部８０は、接続されている機器の動作の優先順位を判断する（優先順位判断２、ステップＳ２０６）。例えば、接続状況判断部７０に第１〜第３機器２１〜２３が接続されている場合、優先順位判断部８０は、第１〜第３機器２１〜２３の優先順位を、図７（ｂ）に示す優先順位判断２の表のように判断する。
【００６５】
各制御部は、図７（ｂ）に示す優先順位判断２に基づき、機器の動作を制限する（ステップＳ２０７）。例えば、この例では、第２制御部３２は、優先順位判断２に基づき、第２機器２２の動作を禁止する。より具体的には、例えば、第２制御部３２は、第２機器２２を動作させない。
【００６６】
次に、優先順位判断部８０は、動作する機器の総消費電力がブレーカ５５の電源容量を超えるか否かを判断する（ステップＳ２０８）。動作する機器の総消費電力がブレーカ５５の電源容量を超える場合（ステップＳ２０８：Ｙｅｓ）、各制御部は、図７（ｂ）に示す優先順位判断２に基づき、機器の動作を制限し（ステップＳ２０９）、各機器の動作を制御する（ステップＳ２１０）。例えば、第１機器２１の動作と第３機器２３の動作の総消費電力がブレーカ５５の電源容量を超える場合、第３制御部３３は、優先順位判断２に基づき、第３機器２３の動作を制限する。より具体的には、第１〜第３制御部３１〜３３は、例えば、第２機器２２の動作を禁止し、第３機器２３の出力（消費電力）を低下、あるいは、第３機器２３の動作を停止させた状態で、第１機器２１を動作させる。
【００６７】
一方、動作する機器の総消費電力がブレーカ５５の電源容量を超えない場合（ステップＳ２０８：Ｎｏ）、各制御部は、ステップＳ２０９を行わずに、各機器の動作を制御する（ステップＳ２１０）。より具体的には、第１〜第３制御部３１〜３３は、例えば、第２機器２２の動作を禁止した状態で、第１機器２１（または第１機器２１及び第３機器２３）を動作させる。
【００６８】
一方、ステップＳ２０１における入力操作が第２機器２２を動作させるための入力操作であり（ステップＳ２１１：Ｙｅｓ）、第１機器２１が動作していない場合（ステップＳ２１２：Ｎｏ）、優先順位判断部８０は、ステップＳ２０６、Ｓ２０７を行わずに、動作する機器の総消費電力がブレーカ５５の電源容量を超えるか否かを判断する（ステップＳ２０８）。動作する機器の総消費電力がブレーカ５５の電源容量を超える場合（ステップＳ２０８：Ｙｅｓ）、各制御部は、図７（ａ）に示す優先順位判断１に基づき、機器の動作を制限し（ステップＳ２０９）、各機器の動作を制御する（ステップＳ２１０）。例えば、第２機器２２の動作と第３機器２３の動作の総消費電力がブレーカ５５の電源容量を超える場合、第２制御部３２は、優先順位判断１に基づき、第２機器２２の動作を制限する。より具体的には、第１〜第３制御部３１〜３３は、例えば、第１機器２１が動作しておらず、第２機器２２の出力（消費電力）を低下、あるいは、第２機器２２を動作させない状態で、第３機器２３を動作させる。
【００６９】
一方、動作する機器の総消費電力がブレーカ５５の電源容量を超えない場合（ステップＳ２０８：Ｎｏ）、各制御部は、ステップＳ２０９を行わずに、各機器の動作を制御する（ステップＳ２１０）。より具体的には、第１〜第３制御部３１〜３３は、例えば、第１機器２１を動作させていない状態で、第２機器２２（または第２機器２２及び第３機器２３）を動作させる。
【００７０】
また、ステップＳ２０１における入力操作が第１機器２１を動作させるための入力操作ではなく（ステップＳ２０４：Ｎｏ）、第２機器２２を動作させるための入力操作でもない場合（ステップＳ２１１：Ｎｏ）、優先順位判断部８０は、ステップＳ２１２、Ｓ２０６、Ｓ２０７を行わずに、動作する機器の総消費電力がブレーカ５５の電源容量を超えるか否かを判断する（ステップＳ２０８）。なお、この場合、ステップＳ２０１における入力操作は、例えば、第３機器２３を動作させるための入力操作である。
【００７１】
動作する機器の総消費電力がブレーカ５５の電源容量を超える場合（ステップＳ２０８：Ｙｅｓ）、各制御部は、図７（ａ）に示す優先順位判断１に基づき、機器の動作を制限し（ステップＳ２０９）、各機器の動作を制御する（ステップＳ２１０）。例えば、第３機器２３の動作と第１機器２１の動作の総消費電力がブレーカ５５の電源容量を超える場合、第３制御部３３は、優先順位判断１に基づき、第３機器２３の動作を制限する。より具体的には、第１制御部３１及び第３制御部３３は、例えば、第３機器２３の出力（消費電力）を低下、あるいは、第３機器２３を動作させない状態で、第１機器２１を動作させる。例えば、第３機器２３の動作と第２機器２２の動作の総消費電力がブレーカ５５の電源容量を超える場合、第２制御部３２は、優先順位判断１に基づき、第２機器２２の動作を制限する。より具体的には、第２制御部３２及び第３制御部３３は、例えば、第２機器２２の出力（消費電力）を低下、あるいは、第２機器２２を動作させない状態で、第３機器２３を動作させる。
【００７２】
一方、動作する機器の総消費電力がブレーカ５５の電源容量を超えない場合（ステップＳ２０８：Ｎｏ）、各制御部は、ステップＳ２０９を行わずに、各機器の動作を制御する（ステップＳ２１０）。より具体的には、第１〜第３制御部３１〜３３は、例えば、第１機器２１（または第２機器２２）の動作を制限していない状態で、第３機器２３を動作させる。
【００７３】
また、接続状況判断部７０に複数の機器が接続されていない場合（ステップＳ２０２：Ｎｏ）、各制御部は、ステップＳ２０３〜Ｓ２０９、Ｓ２１１、及びＳ２１２を行わずに、接続されている機器の動作を制御する（ステップＳ２１０）。
【００７４】
以上説明したように、図６に示すフローチャートでは、複数の機器を同時に動作させる際には、各機器の動作の優先順位を決め、動作する機器の総消費電力がブレーカ５５の電源容量を超える場合には、優先順位の低い機器の動作を制限する。また、第１機器２１と第２機器２２とを同時に動作させる際には、第２機器２２の動作を制限する。換言すれば、第１機器２１と第２機器２２とを同時に動作させる際には、第２機器２２の動作よりも第１機器２１の動作を優先する。これらにより、複数機器の同時運転による電源容量の増大を抑制するとともに、優先度の高い機器（例えば、浴室用の空調機器）を優先して動作させることができる。
【００７５】
図８は、実施形態に係る機器連動システムの別の動作を例示するフローチャートである。  
図９（ａ）及び図９（ｂ）は、図８に示すフローチャートの優先順位判断における優先順位を例示する表である。  
図８に示すフローチャートのステップＳ３０１〜Ｓ３１２は、それぞれ、図６に示すフローチャートのステップＳ２０１〜Ｓ２１２に対応する。図８に示すフローチャートのステップＳ３０１〜Ｓ３０３及びステップＳ３０５〜Ｓ３１１は、図６に示すフローチャートのステップＳ２０１〜Ｓ２０３及びステップＳ２０５〜Ｓ２１１と実質的に同じである。
【００７６】
図６に示すフローチャートでは、ステップＳ２０４において、優先順位判断部８０は、ステップＳ２０１における入力操作が第１機器２１を動作させるための入力操作であるか否かを判断する。これに対し、図８に示すフローチャートでは、ステップＳ３０４において、優先順位判断部８０は、ステップＳ３０１における入力操作が第１機器２１の第１モード（例えば、暖房モード）または第２モード（例えば、涼風モード）を動作させるための入力操作であるか否かを判断する。
【００７７】
また、図６に示すフローチャートでは、ステップＳ２１２において、優先順位判断部８０は、第１機器２１が動作しているか否かを判断する。これに対し、図８に示すフローチャートでは、ステップＳ３１２において、優先順位判断部８０は、第１機器２１の第１モード（例えば、暖房モード）または第２モード（例えば、涼風モード）が動作しているか否かを判断する。
【００７８】
すなわち、図６に示すフローチャートでは、第２制御部３２は、第１機器２１と第２機器２２とを同時に動作させる際には、第２機器２２の動作を制限するのに対し、図８に示すフローチャートでは、第２制御部３２は、第１機器２１の動作モードのうち第１モードまたは第２モードと第２機器２２とを同時に動作させる際に、第２機器２２の動作を制限する。換言すれば、第１機器２１と第２機器２２とを同時に動作させる場合であっても、第１機器２１の動作が第１モードまたは第２モードではないときには、第２制御部３２は、必ずしも第２機器２２の動作を制限しない。より具体的には、動作する機器の総消費電力がブレーカ５５の電源容量を超えない場合には、第１制御部３１及び第２制御部３２は、例えば、第１機器２１の第３モード（例えば、乾燥モード）または第４モード（例えば、換気モード）と第２機器２２とを同時に動作させてもよい。
【００７９】
以上説明したように、図８に示すフローチャートでは、複数の機器を同時に動作させる際には、各機器の動作の優先順位を決め、動作する機器の総消費電力がブレーカ５５の電源容量を超える場合には、優先順位の低い機器の動作を制限する。また、第１機器２１の第１モードまたは第２モードと第２機器２２とを同時に動作させる際には、第２機器２２の動作を制限する。換言すれば、第１機器２１の第１モードまたは第２モードと第２機器２２とを同時に動作させる際には、第２機器２２の動作よりも第１機器２１の動作が優先される。これらにより、複数機器の同時運転による電源容量の増大を抑制するとともに、優先度の高い機器（例えば、浴室用の空調機器）の優先度の高い動作モード（例えば、暖房モードまたは涼風モード）を優先して動作させることができる。
【００８０】
なお、図８に示すフローチャートの優先順位判断（ステップＳ３０３及びステップＳ３０６）において、各機器の動作モードごとに優先順位を設定してもよい。また、例えば、第２機器２２または第３機器の一部の動作モードの優先順位を、第１機器２１の一部の動作モードの優先順位よりも高くしてもよい。より具体的には、例えば、第３機器の第５モード（例えば、暖房モード）や第６モード（例えば、涼風モード）の優先順位を、第１機器２１の第３モード（例えば、乾燥モード）や第４モード（例えば、換気モード）の優先順位よりも、高くしてもよい。
【００８１】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、機器連動システムなどが備える各要素の形状、寸法、材質、配置などは、例示したものに限定されるわけではなく適宜変更することができる。  
また、前述した各実施形態が備える各要素は、技術的に可能な限りにおいて組み合わせることができ、これらを組み合わせたものも本発明の特徴を含む限り本発明の範囲に包含される。
【符号の説明】
【００８２】
１０ 機器連動システム、  ２１〜２３ 第１〜第３機器、  ３１〜３３ 第１〜第３制御部、  ３１ａ〜３３ａ ＣＰＵ、  ３１ｂ〜３３ｂ 記憶装置、  ４０ 操作部、  ４０ａ ＣＰＵ、  ４０ｂ 記憶装置、  ５０ 共通電源部、  ５０ａ ＣＰＵ、  ５０ｂ 記憶装置、  ５５ ブレーカ、  ６１ 電源線、  ６２ グランド線、  ６３ 制御線、  ６４ 通信線、  ７０ 接続状況判断部、  ８０ 優先順位判断部、  １００ 浴室空間、  １１０ 隣接空間
【図１】
2019176567.tif 000003
【図２】
2019176567.tif 000004
【図３】
2019176567.tif 000005
【図４】
2019176567.tif 000006
【図５】
2019176567.tif 000007
【図６】
2019176567.tif 000008
【図７】
2019176567.tif 000009
【図８】
2019176567.tif 000010
【図９】
2019176567.tif 000011